【手続補正書】
【提出日】令和3年11月1日(2021.11.1)
【手続補正１】
【補正対象書類名】明細書
【補正対象項目名】００４４
【補正方法】変更
【補正の内容】
【００４４】
ＮＭＲ試料管７が、試料管キャリアによってインジェクタ５に供給されると、ＮＭＲ試料管７は、インジェクタ案内部５０によって、所定の不変位置（すなわち、インジェクタ案内部５０の出口開口５２の中央）に自動的に案内される。その後、グリッパ５３は、試料管７を容易に把持して、直接ＮＭＲボア２０、または予熱器５４へと搬送することができる。予熱器５４では、試料管７および、その内部に収容された試料は所望の測定温度まで熱的に平衡化される。インジェクタ案内部５０とＮＭＲボア２０の間で（または、任意で予熱器５４へと）グリッパ５３を移動させる得るように、グリッパ５３は、レール５５に移動可能に取り付けられており、モータによって移動させることができる。
なお本発明は、実施の態様として以下の内容を含む。
〔態様１〕
ＮＭＲ測定器（２）と、試料管を収納する収納システム（３）と、前記収納システム（３）から前記ＮＭＲ測定器（２）に前記試料管を搬送し、前記ＮＭＲ測定器（２）から前記収納システム（３）に前記試料管を搬送する搬送システム（６）とを備えるＮＭＲ装置において、
前記収納システム（３）は前記ＮＭＲ測定器（２）から機械的に分離されており、
前記搬送システム（６）は、
前記収納システム（３）に機械的に連結された第１のガイド部材（３０）と、
前記ＮＭＲ測定器（２）に機械的に連結された第２のガイド部材（５０）と、
前記第１のガイド部材（３０）と前記第２のガイド部材（４０）との間で移動し、前記試料管を前記収納システム（３）から前記ＮＭＲ測定器（２）に搬送し、前記ＮＭＲ測定器（２）から前記収納システム（３）に搬送し得る試料管キャリア（４０）とを備え、
前記第１のガイド部材（３０）は、前記収納システム（３）に対する定位置となる第１位置へ前記試料管キャリア（４０）を案内し、
前記第２のガイド部材（５０）は、前記ＮＭＲ測定器（２）に対する定位置となる第２位置へ前記試料管キャリア（４０）を案内するものであることを特徴とするＮＭＲ装置。
〔態様２〕
態様１に記載のＮＭＲ装置において、前記試料管キャリア（４０）は、前記第１のガイド部材（３０）と前記第２のガイド部材（５０）との間で搬送方向（ＴＤ）に移動可能であり、かつ前記搬送方向（ＴＤ）に対し垂直に延びる平面内で移動可能であることを特徴とするＮＭＲ装置。
〔態様３〕
態様１または２に記載のＮＭＲ装置において、前記試料管キャリア（４０）は、前記第１のガイド部材（３０）に対しておよび／または前記第２のガイド部材（５０）に対して少なくとも３つの自由度で移動可能であることを特徴とするＮＭＲ装置。
〔態様４〕
態様１から３のいずれか一態様に記載のＮＭＲ装置において、前記第２のガイド部材（５０）は、前記試料管キャリア（４０）の一部（４１）と接触し、該試料管キャリア（４０）を前記第２位置に案内する漏斗型部材を備えることを特徴とするＮＭＲ装置。
〔態様５〕
態様４に記載のＮＭＲ装置において、前記漏斗型部材（５０）は、第１の幅を有する入口開口（５１）と、第２の幅を有する出口開口（５２）とを備え、
前記入口開口（５１）を介して前記試料管ホルダ（４０）の一部（４１）を前記漏斗型部材（５０）に挿入することができ、
前記出口開口（５２）を介して、前記試料管（７）を前記漏斗型部材（５０）から取り出すことができ、
前記第２の幅は、前記第１の幅よりも小さく、
前記出口開口（５２）は、前記第２位置を規定することを特徴とするＮＭＲ装置。
〔態様６〕
態様５に記載のＮＭＲ装置において、前記入口開口（５１）および／または前記出口開口（５２）は、矩形の基面を有することを特徴とするＮＭＲ装置。
〔態様７〕
態様１から６のいずれか一態様に記載のＮＭＲ装置において、前記第２のガイド部材（５０）と接触する前記試料管キャリア（４０）の部分は、試料管ホルダ（４１）であり、該試料管ホルダ（４１）は、前記第１のガイド部材（３０）と前記第２のガイド部材（５０）との間で前記試料管キャリア（４０）が移動される搬送方向（ＴＤ）に延びていることを特徴とするＮＭＲ装置。
〔態様８〕
態様７に記載のＮＭＲ装置において、前記試料管ホルダ（４１）は、前記試料管キャリア（４０）の主平面（４２）に対して遠位の端部に円形のセンタリング部材（４５）を有することを特徴とするＮＭＲ装置。
〔態様９〕
態様８に記載のＮＭＲ装置において、前記円形のセンタリング部材（４５）は収容口（４６）を囲んでおり、該収容口（４６）から、前記試料管（７）が前記試料管ホルダ（４１）に挿入されることを特徴とするＮＭＲ装置。
〔態様１０〕
態様１から９のいずれか一態様に記載のＮＭＲ装置において、前記第１のガイド部材（３０）は第１のスロット付きリンク部材（３１）を備え、該第１のスロット付きリンク部材（３１）は、前記試料管キャリア（４０）に配置された第３のガイド部材（４３）と係合し、これによって前記第１のガイド部材（３０）と前記第２のガイド部材（５０）との間において試料管キャリア（４０）が移動される搬送方向（ＴＤ）に対し垂直に延びる第１方向（ｙ）において、試料管キャリア（４０）が位置決めされることを特徴とするＮＭＲ装置。
〔態様１１〕
態様１０に記載のＮＭＲ装置において、前記第１のガイド部材（３０）は第２のスロット付きリンク部材（３２）を備え、該第２のスロット付きリンク部材（３２）は、前記試料管キャリア（４０）に設けられた第４のガイド部材（４４）と係合し、これによって前記搬送方向（ＴＤ）に対して垂直に延びる平面上で、前記第１方向（ｙ）に対して垂直に延びる第２方向（x）において、前記試料管キャリア（４０）が位置決めされることを特徴とするＮＭＲ装置。
〔態様１２〕
態様１から１１のいずれか一態様に記載のＮＭＲ装置において試料管を搬送する方法であって、
該ＮＭＲ装置は、ＮＭＲ測定器（２）と、試料管を収納するための収納システム（３）と、前記試料管を前記収納システム（３）から前記ＮＭＲ測定器（２）へ搬送し、前記ＮＭＲ測定器（２）から前記収納システム（３）に搬送するための搬送システム（６）とを備え、前記収納システム（３）が前記ＮＭＲ測定器（２）から機械的に分離されたものであり、
前記収納システム（３）に機械的に連結された第１のガイド部材（３０）によって、前記収納システム（３）に対する定位置である第１位置に配置されている試験管キャリア（４０）に、複数の試料管（７）が収納された前記収納システム（３）から試料管（７）を搬送するステップと、
前記試験管キャリア（４０）中で前記試料管（７）を、前記ＮＭＲ測定器（２）に機械的に連結された第２のガイド部材（５０）に向け搬送方向（ＴＤ）に沿って移動させるステップと、
前記第２のガイド部材（５０）により、前記ＮＭＲ測定器（２）に対する定位置である第２位置に、前記試料管キャリア（４０）を案内するステップとを含む方法。
〔態様１３〕
態様１２に記載の方法において、前記試料管キャリア（４０）が前記第２位置に到達したのちに、前記試料管（７）を前記ＮＭＲ測定器（２）の試料管グリッパ（５３）により把持し、該試料管グリッパ（５３）により、前記ＮＭＲ測定器（２）のＮＭＲ測定位置（２０）へ搬送するステップをさらに含むことを特徴とする方法。
〔態様１４〕
態様１２または１３に記載の方法において、前記試料管キャリア（４０）中で前記試料管（７）を、前記第２のガイド部材（５０）から前記第１のガイド部材（３０）に向けて前記搬送方向（ＴＤ）に沿って移動させ、前記試料管キャリア（４０）を、前記第１のガイド部材（３０）により前記第１位置に案内するステップをさらに含むことを特徴とする方法。
〔態様１５〕
態様１４に記載の方法において、前記搬送方向（ＴＤ）は略鉛直方向であり、前記第２のガイド部材（５０）は、前記第１のガイド部材（３０）の上方に位置していることを特徴とする方法。